(57)【要約】      （修正有）【課題】高温加工物の鋼材類の狂い除去を、簡易的に行うための高温加工物の冷却、加熱処理工程と連動する昇降装置を提供する。【解決手段】柱１３に取り付けた横主梁１２と、横主梁１２の先端の垂直方向に設けられた縦主軸４と、横主梁１２の先端に設けられた電動ホイスト１と、縦主軸４を中心として、縦主軸４から水平に張り出した複数の水平横棒５を備え、それぞれの水平横棒５の先端に保温缶７を備えた装置である。電動ホイスト１を動作させることで、吊りチエン２を介して、それぞれの根元部が連結された水平横棒５が縦主軸４に沿った方向に上下動し、水平横棒５が上昇することで高温加工物８を露出させ冷却させ、水平横棒５が下降することで高温加工物８が保温缶７が覆われるとともに加熱ヒータに通電し高温加工物８を加熱し、水平横棒５は、車輪１０を介して縦主軸４と接続している。【選択図】図１
0003192895.tif 000002
【実用新案登録請求の範囲】
【請求項１】
本考案で簡易的に、高温加熱による加工物の狂いを除去するために、電気制御と温調制御を組み合わせて電動ホイストを連動させ上昇、下降時に周囲に安全に報知し、１台から複数の加工物を、同時に自然冷却するために、ヒーターを切り冷却のため電動ホイストと保温缶を上昇させ自然冷却する、次に加熱のため電動ホイストと保温缶を下降させ被いヒーターで加熱し、次に自然冷却するために、ヒーターを切り冷却のため電動ホイストと保温缶を上昇させ自然冷却する、次に電気制御と温調制御で、この冷却と加熱の工程と電動ホイストの連動で、保温缶の作動を更にもう１度繰り返す事で、高温加工物の狂いを除去できる装置である。
【請求項２】
本考案を１時的に使用しない時は、夫々の水平横棒を折り畳用折り曲げ装置を折り畳む事で、全長の約２０パーセントに縮小する事で他の作業の障害にならない、更に長期間に亘り使用しない時は装置全体を、解体状態にする事により２箇所の折り畳部を折り曲げすることで、全体を片隅に移動させ占有場所を最小限に縮小する特徴を持つ装置である。
【請求項３】
本考案は、加工物が複数でも、温調制御と電気制御の組み合わせと、夫々の加工物の各種の条件が、同じときには、測温装置が、１台の、入力信号と配線のみで、他の複数の入力信号や、配線は、省略しても、複数の加工物、全部が、１台と、同じに、制御、コントロールされるので、複数用の複雑配線を省略できる、特徴を持つ装置である
【考案の詳細な説明】
【技術分野】
【０００１】  本考案はアルゴンガス溶接で鋼材類の高温加工をした時の加工物の高温による、狂いを除去する方法に関するものである
【背景技術】
【０００２】  鋼材類のアルゴンガス溶接で高温加工する時に、加工完了時の鋼材類の狂い発生を除去するために、高温加工物を、自然に常温冷却させ、次に高温加熱させ、再び自然に常温冷却させ、次に高温加熱させる事で、高温加工物の狂い除去が完了となる
【考案の概要】
【考案が解決しようとする課題】
【０００３】    本格的な高温加工物の狂い発生、除去の自然冷却工程と高温加熱工程装置の無い時、高温加工物の狂い発生を簡易的に除去する方法が必要である
【課題を解決するための手段】
【０００４】  鋼材類の加工物を高温加工完了後、高温による狂いを簡易的に除去するために、高温加工物を自然冷却で常温に戻し、次に高温に加熱し、再度高温加工物を、自然冷却で常温に戻し、次に高温に加熱し、次に自然冷却で常温に戻すと、高温加工物の狂いが除去される。
しかし加熱用に電気ヒーターで高温加熱する時には、放熱を防ぐため耐熱性等の保温缶で被い電気ヒーターで加熱し、次に自然冷却するには、電気ヒーターを停止し保温缶を外し冷却する、更に上記の加熱用電気ヒーターは、温調制御と自動制御により運転される。
更に簡易的に加熱による加工物の狂いを除去するには、電気制御と温調制御の連動により電動ホイスト等で保温缶を吊り、加工物を冷却するにはヒーターの電源を切り保温缶を上昇させ、加工物を加熱する時には保温缶を下降させヒーターを被い通電する。
そして一般的に１台の電動ホイストは加工物も１個の場合が多いが、本考案では加工物が複数の時には、電動ホイストの吊り先の、フックに縦主軸を中心に左右の２本の水平，横棒の先端に２個の保温缶を吊り２個の加工物が温調制御や自動制御により冷却や加熱される、更にフックに縦主軸を中心に左右の４本の水平、横棒の夫々の先端に４個の保温缶を吊り４個の加工物が温調制御や自動制御により冷却や加熱される、このように、使用する、水平、横棒の数と全長で描く、円形の大きさや、距離の範囲と使用する面積により、１台から複数の加工物の数が決まる。
更に、一般的には複数の加工物の場合は、加熱ヒーターも、温度を測定する測温器類も加工物の、数だけ必要であるが、本考案は、複数の加工物の場合で、同じ大きさや、同じ諸条件で、同じ加熱量や、冷却量で、同じ加熱、冷却制御で、同時スタートする場合は、加工物が複数でも、加熱ヒータは夫々に取り付けるが、加熱、冷却、等の温度を検出する測温器や温調器は、１台のみの測温器類で、温調制御と電気制御の組合わせで、複数の加工物、全部を同時に、制御、コントロール出来る、省配線の複雑配線省略で簡易除去設備を更に省略化させる
【考案の効果】
【０００５】    本考案は鋼材類の高温加工物を加熱による、狂いを除去する方法を温調制御や電気制御と電動ホイストの連動で簡易的に行うものである、高温加工物の高温による狂いを除去するため、１次冷却、加熱工程の、高温の加工物を自然で常温に低下させる、そして次に電気ヒーター等で効率よく高温に加熱させるため、放熱を防ぐ耐熱性等の保温缶を使用し加工物を被う、常温に低下させる時は保温缶を上昇させ外し冷却する、次に２次冷却、加熱工程で、高温加工物を常温に冷却し、次に高温加熱する、そして次に常温に冷却することで、狂い除去が完了する。
そして高温加工物を常温に低下させるため保温缶を上昇させる時や、次に高温に加熱させる為に保温缶を下降させる時など上昇や下降に、電動ホイストを使用するが、一般的な使用では、１台の電動ホイストで１個の加工物用の保温缶を吊り上昇や下降をさせるが、本考案では複数の加工物用の保温缶を同時に、上昇や下降させるために、１台の電動ホイストのチエンの下の吊りフックに、複数の水平の横棒を縦主軸を中心に１体連結させて吊り、夫々の水平の横棒の先端に、加工物用の保温缶を吊り１台の電動ホイストで上昇や下降させることで、１台から複数の加工物用の保温缶を同時に上昇や下降させる事が出来る。
本考案では加工物の保温缶を下降し被い電気ヒーターに通電し加熱する、そして通電を切ってから保温缶を上昇させ冷却させる事で安全に対応、更に保温缶の下降や上昇時には先に、警報等で報知し下降や上昇の完了まで安全に報知されるこの為、屋外以外では専用の建物は不要となる。
本考案の複数の水平の横棒は、左右に大きく張り出しているために、本装置を使用しない時でも、左右に大きく広がり無駄に場所を占有している、本考案は複数の水平の横棒の全長の約、８０パーセントの所で上に折り畳むことで、無駄な占有が約２０パーセント程になる、本考案の簡易除去方法は、未使用時の場所の縮小も可能となる
【図面の簡単な説明】
【０００６】
【図１】本考案の簡易的な高温加工時の鋼材類の狂いの除去装置の４本の時の水平横棒と４個の保温缶の時の全体の略図である
【図２】本考案の４本の水平横棒の時の４個の保温缶の時の加工物と保温缶、上昇の冷却時の１部の略図である
【図３】本考案の４本の水平横棒の時の４個の保温缶の時の加工物と保温缶、下降の加熱時の１部の略図である
【図４】本考案の未使用時の１部の水平横棒の折畳用折り曲げ装置を折り畳んだ時の略図である
【図５】本考案の４本の水平横棒の時の、夫々４本の、１体連結と、上下、車輪の連結の平面略図である
【図６】本考案の４本の水平横棒の、夫々４本の連結部の１部と、上下、車輪の１部と、４本、連結１体時の吊り金具の略図である
【図７】本考案の未使用時の解体状態の１部の略図
【図８】本考案の加工物、４個の時の加熱ヒータの配線と、温調制御器類と、この配線を省略した略図である
【考案を実施するための形態】
【０００７】  本考案は簡易的に狂い除去のため、電気制御と温調制御と電動ホイストの連動により高温加工物を常温に低下させるため保温缶を上昇させ、次に高温に加熱させる為に保温缶を下降させるときに、電動ホイストを使用するが、一般的な使用では、１台の電動ホイストで１個の加工物用の保温缶を吊り上昇や下降をさせるが、本考案では複数の加工物用の保温缶を同時に、上昇や下降させるために、１台の電動ホイストのチエンの下の吊り、フックに、複数の水平の横棒を１体連結させて吊り、夫々の水平の横棒の先端に、加工物用の保温缶を吊り、１台の電動ホイストで上昇や下降させることで、１台から複数の加工物用の保温缶を同時に上昇や下降させる事が出来る。
本考案では電気制御と温調制御の連動により加工物の保温缶を下降し被い電気ヒーターに通電し加熱する、そして通電を切ってから保温缶を上昇させ冷却させる事で安全に対応される、更に保温缶の下降や上昇時には先に、警報等で報知し下降や上昇の完了まで安全に報知されるこの為、屋外以外では専用の建物は不要となる。
本考案の複数の水平の横棒は、左右に大きく張り出しているために、本装置を使用しない時でも、左右に大きく広がり無駄に場所を占有している、本考案は複数の水平、横棒の全長の約、８０パーセント程の所で上に折り畳むことで、無駄な占有が約２０パーセント程になる、本考案の簡易除去方法は、使用場所の省略も可能となる。
【実施例】
【０００８】  以下、添付図面に従って一実施例を説明する。
図１は、本考案の全体の構築略図を示す、本考案の通常の使用方法は、アルゴンガス溶接等で、高温加工した、高温加工物８の、高温加工による、鋼材類の狂いを除去する為にヒーターの通電を切り、電動ホイスト１と，駆動，吊りチエン２と，吊りフック３と、水平横棒５と、保温缶７が、総て上昇している位置、図２の、冷却状態の上昇している時、本考案装置の自動作動を開始すると、先に始動開始の報知をし図８の、高温加工物８の温度を自動計測し、自然冷却により常温、室温の設定温度に到達すると、低下され、第１冷却ステップ完了し報知し、次に至る。【０００９】  上記の、第１冷却ステップ完了信号により、次のステップ、図８の、高温加工物８を、通電し加熱するために、電動リフト１と，駆動、吊りチエン２と、吊りフック３と、水平横棒５と、保温缶７が、縦主軸４と各々の水平横棒５が各々の、上下、車輪１０により可動接触により可動直前から報知しながら保温缶７が下降してヒーターに通電するまで報知し、自動的に下降し、図３の加熱状態でヒーターに通電しながら、高温加工物８の温度を自動計測し、設定温度に到達すると、第２加熱ステップ完了し報知し、次に至る。【００１０】  上記の、第２加熱ステップ完了信号により、次のステップ、図８の、高温加工物８を、自然冷却するためにヒーターを切り、電動リフト１と、駆動吊りチエン２と、吊りフック３と、水平横棒５と、保温缶７が、上記の様に縦主軸４と、水平横棒５が、上下、車輪１０により、可動接触し報知し、自動的に上昇し、図２の冷却状態で自然冷却により、高温加工物８の温度を自動計測し、設定温度に到達すると、第３冷却ステップ完了し報知し、次に至る。【００１１】  上記の、第３冷却ステップ完了信号により、次のステップ、図８の、高温加工物８を、通電し加熱するために、電動リフト１と，駆動吊りチエン２と、吊りフック３と、水平横棒５と、保温缶７が、縦主軸４と、水平横棒５が、上下、車輪１０により、可動接触し報知し、自動的に下降し、図３の加熱状態でヒーターに通電しながら、高温加工物８の温度を自動計測し、設定温度に到達すると、第４加熱ステップ完了し報知し、次に至る。【００１２】  上記の、第４加熱ステップ完了信号により、次のステップ、図８の、高温加工物８を、自然冷却するためにヒーターを切り、電動リフト１と、駆動吊りチエン２と、吊りフック３と、水平横棒５と、保温缶７が、縦主軸４と、水平横棒５が、上下、車輪１０により、可動接触し報知し、自動的に上昇し、図２の冷却状態で自然冷却しながら、高温加工物８の温度を自動計測し、設定温度に到達すると、第５冷却ステップ完了し報知し、次に至る。【００１３】  上記の、第５冷却ステップ完了信号により、図２の冷却状態で高温加工物８の、高温加工による、狂い発生の除去が完了し報知して、本考案の装置が停止する。【００１４】  本考案の１時未使用や、長期、未使用時などで、長い水平横棒や本装置が、障害になる時には、解体状態図７にすると最下降し、保温缶、吊りチエン６、が緩むので水平横棒５、から保温缶、吊りチエン６を取り外し、保温缶７、を移動させ次に、水平横棒５、の水平横棒の折り畳み用折り曲げ装置９、のところで上方向に折り畳むと、場所使用の１００％の水平横棒が約２０％に，縮小される、この状態から、装置全体が障害になる時には、縦、主軸４、を壁側などに引き寄せると、縦、主軸用の横行、車輪１１と横主梁１２の、横、主梁の折り畳み用折り曲げ装置１７により横に折り畳ことで片隅などに全体が移動できる。
【符号の説明】
【００１】１        電動ホイスト
２        駆動、吊りチエン
３        吊り、フック
４        縦、主軸
５        水平、横棒
６        保温缶、吊りチエン
７        保温缶
８        高温加工物
９        水平、横棒の折り畳み用折り曲げ装置
１０      上下，車輪
１１      縦、主軸用、横行、車輪
１２      横、主梁
１３      取り付け母材、柱
１４      床、壁
１５      水平，横棒４本の時の夫々４本の横棒の１体連結用、角フランジ
１６      水平、横棒４本の時の夫々４本の横棒の１体連結後、４本１体同時、吊り用４          角ボルト
１７      横、主梁の折り畳み用折り曲げ装置
１８      解体状態の時の各水平、横棒の最下降時のストッパー
１９      温調制御、電気制御盤
２０      測温抵抗体
２０Ａ    測温抵抗体用配線
２１      加熱ヒータ  １
２１Ａ    加熱ヒータ  １用配線
２２      加熱ヒータ  ２
２２Ａ    加熱ヒータ  ２用配線
２３      加熱ヒータ  ３
２３Ａ    加熱ヒータ  ３用配線
２４      加熱ヒータ  ４
２４Ａ    加熱ヒータ  ４用配線
【図１】
0003192895.tif 000003
【図２】
0003192895.tif 000004
【図３】
0003192895.tif 000005
【図４】
0003192895.tif 000006
【図５】
0003192895.tif 000007
【図６】
0003192895.tif 000008
【図７】
0003192895.tif 000009
【図８】
0003192895.tif 000010
【手続補正書】
【提出日】平成26年3月28日(2014.3.28)
【手続補正１】
【補正対象書類名】実用新案登録請求の範囲
【補正対象項目名】全文
【補正方法】変更
【補正の内容】
【実用新案登録請求の範囲】
【請求項１】
本考案は、簡易的に高温加熱による複数の加工物の狂い除去するために、縦軸を中心に左右に複数の水平横棒が張り出し夫々の先端に保温缶を吊りさげ、これを、縦軸の上部に取付た、電動ホイストの吊りチエンの先のフックに連結して、温調制御と電気制御の組み合わせと電動ホイストの連動により複数の水平横棒を縦軸に上下、車輪、により接触する、装置である
【請求項２】
請求項１記載の複数の加工物の自然冷却と加熱を行う為に保温缶を吊る、複数の水平横棒が左右に張り出した装置であり、本考案を使用しない時でも、広く場所を占有してる為に、他の作業の障害に成っている、限りある場所を有効了する為、本考案はこの時に、複数の水平横棒の全長の約８０％のの所に設けた、折り畳み装置で、上方向に、折り畳む事で、場所の占有が、約２０％程に低減出来る特徴を持つものである、
【請求項３】
請求項１記載の複数の加工物の自然冷却や加熱を行う為に、加工物の数だけの加熱用ヒータの配線と、温調器と、測温センサーと配線が必要であるが、本考案は複数の加工物が同じ条件の制御の時には、１個分の温調器と測温センサーと配線で、複数の加工物を同じ条件の自然冷却と加熱の制御が出来る特徴を持つものである
【手続補正書】
【提出日】平成26年6月20日(2014.6.20)
【手続補正１】
【補正対象書類名】実用新案登録請求の範囲
【補正対象項目名】全文
【補正方法】変更
【補正の内容】
【実用新案登録請求の範囲】
【請求項１】
柱（１３）に取り付けた横主梁（１２）と、横主梁（１２）の先端の垂直方向に設けられた縦主軸（４）と、横主梁（１２）の先端に設けられた電動ホイスト（１）と、縦主軸（４）を中心として、縦主軸（４）から水平に張り出した複数の水平横棒（５）を備え、それぞれの水平横棒（５）の先端に保温缶（７）を備えた装置であって、
電動ホイスト（１）を動作させることで、吊りチエン（２）を介して、それぞれの根元部が連結された水平横棒（５）が縦主軸（４）に沿った方向に上下動し、水平横棒（５）が上昇することで高温加工物（８）を露出させ冷却させ、水平横棒（５）が下降することで高温加工物（８）が保温缶（７）が覆われるとともに加熱ヒータに通電し高温加工物（８）を加熱し、水平横棒（５）は、車輪（１０）を介して縦主軸（４）と接続していることを特徴とする装置。
【請求項２】
請求項１に記載された装置において、
それぞれの水平横棒（５）の全長の約８０％の所に折り曲げ装置（９）を設け、折り曲げ装置（９）により水平横棒（５）を折り畳むことで、場所の占有が、約２０％程に低減出来ることを特徴とする装置。
【請求項３】
請求項１に記載された装置において、
複数の高温加工物（８）のための温調器と測温センサーと配線とを共用することを特徴とする装置。